(57)【要約】【課題】アスベストを剥離粉砕するアスベスト除去具であって、小型軽量で、シールされた空間内にて除去したアスベストが完全に吸引処理され、アスベストを剥離粉砕する作用部を作業員が目視確認可能であり、さらに作用部を照明する照明装置を有するアスベスト除去具を開発する。【解決手段】アスベスト面の剥離粉砕を行う除去手段と、密植された線材製のシール手段を備え作用部の全体を掩覆する透明材製の密閉手段と、照明装置付の把持手段と、コンプレッサに接続される吸引用可撓管よりなる吸引手段、から構成されるアスベスト除去具を提供する。【選択図】        図１
2007321525.tif 000002
【特許請求の範囲】
【請求項１】
アスベスト面の除去を行う除去手段と、アスベスト面に接する部分に密植された複数本の線材からなるシール手段を備え除去手段の作用部の全体を掩覆する透明材よりなる密閉手段と、除去手段の密閉手段に掩覆されていない部分に固着され一部が作業者が手に把持できるハンドルとして構成されている把持手段と、一端が密閉手段に穿設された吸引口に気密的に接続され、他端がコンプレッサに接続されている吸引用可撓管からなる吸引手段、から構成されていることを特徴とするアスベスト除去具。
【請求項２】
除去手段が、研磨用の回転円盤を作用部とするグラインダであることを特徴とする請求項１に記載のアスベスト除去具。
【請求項３】
シール手段である線材が、剛性と可撓性のある線材が複数本密植された第１シール手段と、該第１シール手段に隣接して密植された第１シール手段の線材よりやや細く第１シール手段の線材よりやや長い複数本の線材からなる第２シール手段からなることを特徴とする請求項１あるいは請求項２に記載のアスベスト除去具。
【請求項４】
除去手段の作用部の研磨用の回転円盤の回転軸の軸方向を上下方向とした場合に、透明材よりなる密閉手段の先端部分が平面視で９０°以下の角度に構成されていることを特徴とする請求項２あるいは請求項３に記載のアスベスト除去具。
【請求項５】
把持手段あるいは密閉手段に、除去手段の作用部の研磨用の回転円盤の近傍を照明できる照明装置が装着されていることを特徴とする請求項２あるいは請求項３あるいは請求項４に記載のアスベスト除去具。
【発明の詳細な説明】
【技術分野】
【０００１】
本発明は、アスベスト除去具に関するものであり、さらに詳しくは、アスベスト面の除去を行う除去手段と、アスベスト面に接する部分に密植された複数本の線材からなるシール手段を備え除去手段の作用部の全体を掩覆する透明材よりなる密閉手段と、除去手段の密閉手段に掩覆されていない部分に固着され一部が作業者が手に把持できるハンドルとして構成されている把持手段と、一端が密閉手段に穿設された吸引口に気密的に接続され、他端がコンプレッサに接続されている吸引用可撓管からなる吸引手段、から構成されていることを特徴とするアスベスト除去具に関するものである。
【背景技術】
【０００２】
近年、多くの建築物に用いられてきたアスベストによる被害が大きく報道されるに至り、建築物からアスベストを除去するための工事が盛んに行われるようになった。しかしながら、アスベストの除去は、危険性を伴う工事であり、作業者は、常にアスベストの粉塵を吸引する危険性にさらされている。このため、厳重に防護服で身を固め、工事中の部屋のシールドを厳密に行い、かつ、剥離され、床に堆積したアスベストは吸引装置で吸引するという方法が採られてきた。しかしながら、作業員が手に持つケレンと呼ばれる除去具（へらのような工具）でアスベストを剥離し、床に落ちたアスベスト片を清掃、吸引するという従来の方法では、どうしても室内にアスベスト粉末が飛散し、作業員が誤吸引する可能性も高くなる。また、室内に飛散したアスベスト粉末を完全に吸引する作業も手間がかかり、さらに防護服もアスベスト粉末で汚染されるので、そのクリーニングも大変な作業となる。このように、アスベスト剥離工事は多くの難題を抱えているが、この工事は、日本中のあらゆる建築物からアスベストが完全に撤去されるまで続けなければならないものであり、現在も、危険性と背中合わせでの作業が数多く続けられているのが現状である。
【０００３】
上記の如き事情に鑑み、アスベスト除去工事をさらに合理的にかつより安全に行えるように、様々の発明、考案がなされてきた。下記特許文献１〜３に掲げるものは、その一部である。これらのうち、下記特許文献２の「アスベスト床タイル除去装置」は床材としてのアスベスト専用の剥離装置であり、また下記特許文献３の「埋設石綿管の撤去方法およびそのための装置」は、埋設石綿管の撤去に限定された方法および装置である。したがって、ここでは、本発明と主旨目的を共有する度合いが最も高いと思われる下記特許文献１の「アスベスト除去装置、除去ヘッドおよび除去工具」に関して詳述する。
【０００４】
下記特許文献１の「アスベスト除去装置、除去ヘッドおよび除去工具」
は、移動台車、移動台車に旋回自在に設けられた多関節アーム、多関節アームの先端に設けられた除去ヘッド、アスベストを回収する回収部から構成された大掛かりな装置で、除去ヘッドに備えられたアスベスト除去工具によってアスベストを除去しつつ薬剤からなる泡を噴射してアスベストの粉末化を抑制し、さらにこれを吸引回収するという作用を有するものである。また、除去ヘッドの周囲は、ナイロンなどからなる細い繊維を束ねたブラシシールでシーリングされている。
【０００５】
特許文献１の除去装置あるいは除去工具は、アスベストを剥離する作用部分を多関節アームと除去ヘッドにより作業員の手から切り離すことにより、作業員がアスベスト粉末に直接的に晒されるのを回避しようとするものであるが、その構成を実現するためにかえって多くの難題を抱えることになった。まず、その一つは、大掛かりな移動台車を必要とする点である。実際のアスベストの剥離現場は、移動台車を円滑に移動できるような平坦面に恵まれているケースは極めて稀で、激しい凹凸があったり、物品や解体屑が散乱して、車輪付の大掛かりな移動台車を動かすようなスペースは全くないところが殆どである。また、仮に移動台車を設置できたとしても、多関節アームの伸縮によって除去ヘッドを希望する剥離対象面に押圧できるケースもむしろ少ないと考えられる。実際の現場においては、高い部分は足場を組んで作業員がその足場に乗って剥離作業をしているのが現状であるが、例えば体育館の天井のような高い部分に届く多関節アームを支える移動台車を考えると、非常に規模の大きなものとなり、現実的ではないことが理解される。
【０００６】
さらに、実際のアスベスト剥離現場においては、アスベストの付着状況は、たとえ同一の平面においても少しずつ異なるのが一般的である。アスベスト層の厚さや密着度も異なれば、一部あるいは殆どが剥離している箇所もあり、さらにアスベスト層と躯体の間に別の物質の層がある場合もあって、このような場合には、一律の機械的な剥離作用が殆ど有効性を持たない。また、剥離対象面も完全な平面である場合はむしろ少なく、微妙な凹凸やカーブがあったり、梁が出ていたりする。したがって、このような多様な様相を見せる剥離対象面に対し、多関節アームの先端に取り付けた除去ヘッドを遠隔操作してアスベストをきれいに剥離しようとするのは無理があり、実際の現場においては非常に使いずらく、たとえある程度使えたとしても、アスベストが様々な状態で相当程度残留することになるので、結局残留アスベストは作業員の手作業で剥離しなければならない結果となる。
【０００７】
また、特許文献１では、除去ヘッド全体が不透明のケースで被覆されているので、アスベストの除去程度が、除去ヘッドを移動させない限り、作業員の目で確認できない。上記のように、除去対象面は多様な様相となるので、通常、作業員が自分の目で除去状態を確認しながら除去作業を進めているのが現状であるが、除去ヘッド自体が不透明のケースで覆われた状態ではこの確認作業が除去作業と同時進行してできないので、除去作業を進める上において、大きな障害となる。
【０００８】
また、特許文献１では、アスベストの粉末化を避けるために、薬剤の泡を噴射する方法も開示されている。この方法は、現在の手作業にても用いられているが、特許文献１の除去装置あるいは除去工具においては、実際にはこの方法は新たな障害を生む原因となる可能性が高い。すなわち、特許文献１の除去装置あるいは除去工具においては、除去ヘッドの周囲をブラシシールでシーリングするものであるが、薬剤の泡を使用しない場合は、アスベストは粉末化されたとしても、除去ヘッドには回収手段の吸引作用が働いているのでブラシシールから外部の空気が流入する形となり、アスベストの粉末がブラシシールから外部へ漏れ出す可能性は低い。しかるに、薬剤の泡にて粉末を包囲してしまうと、薬剤の泡は除去対象面に付着して残り、除去ヘッドの移動によってブラシシールから外部へ漏れ出すこととなる。この薬剤の泡にはアスベストの粉末が含まれているので、この付着した薬剤の泡を完全に除去しない限り、薬剤の泡の乾燥により粉末化したアスベストが空気中に飛散することとなり、逆効果となってしまう。また、回収手段は、薬剤の泡にて包囲されたアスベストを吸引することになり、回収ホースや回収手段の内部機構は粘性の高い回収物で充満され、機能不全に陥ってしまうことは想像に難くない。したがって、薬剤の泡にてアスベストを包囲するという方法は、現在の手作業による剥離においてはある程度有効であるが、機械的にこれを吸引するということは、きわめて非現実的であるといわざるを得ない。
【特許文献１】特開平１１−１９３６４３
【特許文献２】特開２００１−４０８８４
【特許文献３】特開２００６−８３６００
【発明の開示】
【発明が解決しようとする課題】
【０００９】
叙上より、本発明が解決しようとする課題を次のように設定した。
＜課題１＞
アスベスト除去作業の現場の状況や、除去対象面が均一でなく様々な様態に亘るという現況から見て、アスベスト除去作業を機械化あるいは自動化することは困難であり、たとえ機械化あるいは自動化できたとしても、除去対象面にはアスベストが必ず残留する結果となる。したがって、アスベスト除去作業を機械化あるいは自動化するという方向ではなく、現況の作業員によるきめ細かな、現場の状況に即応できる除去方法を基本とし、その上で、できるだけ作業員の蒙る危険度と負担を軽減する合理的で効率の良い除去ができる除去具を開発する。
＜課題２＞
作業員の誤吸引を防止するため、除去したアスベストは除去具のシールされた空間内にて完全に吸引できるような構成としたい。この際、吸引装置の作動の円滑化のために、アスベストを粉末化して吸引するということを考えた場合、薬剤の泡で被覆すると、叙上のように吸引装置の不具合を引き起こしたり、シールからかえって漏れてしまう可能性が高い。したがって、薬剤の泡で被覆するという方法は採らず、粉末のままのアスベストをできるだけ完全に吸引する構成を開発する。この際、除去されたアスベストの塊が大きいと、薬剤で粘性化していなくても円滑な吸引が阻害されたり、吸引装置の不具合を引き起こす可能性があるので、アスベストはできるだけ粉体化して吸引できるようにする。
＜課題３＞
アスベストが完全に除去されたかどうかの確認は、作業員が眼で見て判断するのが基本である。したがって、アスベストが除去される作用部そのものを、常に作業員が目で簡単に確認できるような構成でなければならない。また、これに加えて、照明装置の問題も重要である。アスベストの除去作業現場は、照明装置がある場合もあればない場合もある。また、照明装置があったとしても、除去対象面の場所によっては影になって、除去対象面が良く見えないことも多い場合が殆どであるので、常に除去対象面を照明するための照明装置があることが望ましい。
【課題を解決するための手段】
【００１０】
本発明は、上記課題を解決するためになされたものであって、下記に示す解決手段を提供するものである。
＜解決手段１＞
アスベスト面の除去を行う除去手段と、アスベスト面に接する部分に密植された複数本の線材からなるシール手段を備え除去手段の作用部の全体を掩覆する透明材よりなる密閉手段と、除去手段の密閉手段に掩覆されていない部分に固着され一部が作業者が手に把持できるハンドルとして構成されている把持手段と、一端が密閉手段に穿設された吸引口に気密的に接続され、他端がコンプレッサに接続されている吸引用可撓管からなる吸引手段、から構成されていることを特徴とするアスベスト除去具。
＜解決手段２＞
除去手段が、研磨用の回転円盤を作用部とするグラインダであることを特徴とする解決手段１に記載のアスベスト除去具。
＜解決手段３＞
シール手段である線材が、剛性と可撓性のある線材が複数本密植された第１シール手段と、該第１シール手段に隣接して密植された第１シール手段の線材よりやや細く第１シール手段の線材よりやや長い複数本の線材からなる第２シール手段からなることを特徴とする解決手段１あるいは解決手段２に記載のアスベスト除去具。
＜解決手段４＞
除去手段の作用部の研磨用の回転円盤の回転軸の軸方向を上下方向とした場合に、透明材よりなる密閉手段の先端部分が平面視で９０°以下の角度に構成されていることを特徴とする解決手段２あるいは解決手段３に記載のアスベスト除去具。
＜解決手段５＞
把持手段あるいは密閉手段に、除去手段の作用部の研磨用の回転円盤の近傍を照明できる照明装置が装着されていることを特徴とする解決手段２あるいは解決手段３あるいは解決手段４に記載のアスベスト除去具。
【００１１】
本発明は、アスベストの除去作業において、従来作業員の手で行われてきた、きめ細かい除去作業の方法をそのまま保全しつつ、作業員が使いやすく、効率が良く、しかも作業員が蒙る危険性を可能な限り低レベルに抑えたアスベスト除去具を提供するものである。
【００１２】
まず、従来、作業員がケレンと呼ばれるへら状の工具を用いて行っていた作業は、ある程度電動器具に置き換えて、除去作業の効率化を図ることを考えた。この際に、最も重要となるのは、直接アスベスト面に触れてこれを剥離除去する除去手段である。すなわち、作業員の負担が最も少ない形で効率よくアスベストを剥離除去できること。しかも叙上のような課題から、アスベストが大きな塊ではなく、粉体として除去できることが重要である。このような機能を持つ除去手段を求めて様々な様態の工具で実験した結果、上記目的に最もかなうものとして、家庭用の小型のグラインダに辿りついた。
【００１３】
家庭用の小型のグラインダは、日曜道具用品として、近年ホームセンター（日曜大工道具等の量販店）でも良く見かけるものである。その構成は極めて単純で、モータを内蔵する柄部分の先端に、下向きに研磨用の回転円盤が装着されており、スイッチを入れると該円盤が高速回転する。研磨用の回転円盤は、砥石でできており、様々な荒さのものが用意されていて、簡単に交換可能となっている。また、コンクリート面の研磨専用の回転円盤も売られている。
【００１４】
この小型のグラインダの良いところは、アスベストを粉体化して剥離除去するという本発明の目的にまさにぴったりの作用効果を有しているという点である。小型のグラインダの研磨用の回転円盤をアスベスト面に当てるとアスベスト面は見事に粉体化して剥離される。厚いアスベスト面には回転円盤を深く入れ、薄いアスベスト面には回転円盤を浅く入れることにより、どのような厚さのアスベスト面にも対応可能である。また、アスベスト面の固さや、あるいはアスベスト面が何かに被覆されたり、又はアスベスト面の下に別の物質の面があるという様々な様態にも、回転円盤の砥石の荒さを変えるだけで略対応可能であることが判明した。回転円盤の砥石の種類は実に豊富であるが、除去手段の本体として小型のグラインダを用いることにより、この豊富な回転円盤の様々な種類をことごとく用いることができるのは、大きなメリットである。
【００１５】
また、家庭用の小型のグラインダのもう一つの特徴として、極めてコンパクトかつ軽量に設計してあるという点が挙げられる。アスベスト除去具は、作業員が除去作業中常に手に把持して作業を行うものであり、とくに天井面のアスベストの除去作業においては、除去具を上下反転させて手を上に上げたままで天井面に当てて除去作業を続けなければならない。したがって、除去具の基本的条件として、除去性能と同じくらい軽量かつコンパクトであることが要求される。しかるに、家庭用の小型のグラインダは、女性でも日曜大工に使えるように、極めてコンパクトかつ軽量に設計されているので、この目的にはぴったりのものといえる。また、家庭用の小型のグラインダは、当然のことながら通常どこの家庭にも引き込まれている１００Ｖの交流電源で作動するように造られているが、この点も、アスベストの除去作業には大きな利点となる。すなわち、１００Ｖの交流電源は、日本中略すべての建物に設備されているものであるから、アスベストの除去作業にあたっても、特別の電源装置を準備しなくて良い。これは、作業の機動性や経費面から見ても、非常に大きな利点となるものである。
【００１６】
したがって、本発明の構成は、除去手段として家庭用の小型のグラインダを基本として考え、該グラインダの研磨用の回転円盤、すなわち除去手段の作用部を、密閉手段にてシールドして、粉体化されたアスベストが飛散しないように構成した。具体的には、小型のグラインダの研磨用の回転円盤を合成樹脂の蔽体を密閉手段として用いて掩覆するのであるが、その際、除去作業の作用部となる回転円盤を常に視認できるように、蔽体として透明の合成樹脂を用いることとした。
【００１７】
また、密閉手段の蔽体がアスベスト面に接する部分をシールするシール手段として、複数本の線材をブラシ状に密植し、アスベストの粉体が密閉手段の外部に漏れないように構成した。シール手段を線材の束としたのは、後に述べるコンプレッサによる吸引によって密閉手段内部が減圧された場合、ブラシ状に密植された線材の間から、適度に空気が流入することを保証するためである。したがって、シール手段の部分では、常に外部からシール手段の内部に向けて気流が生じており、アスベストの粉体は、この気流により、シール手段の内部に押しもどされて外部に漏れ出すことがない。なお、線材の材質については、剛性と可撓性を共に有するものであれその種類を問わないが、具体的にはナイロン繊維やポリエステル繊維、アクリル繊維等の合成樹脂からなる線材、馬やいたち等の動物の毛、さらには真鍮やステンレス等の剛性と可撓性を有する金属線材を用いることが可能である。
【００１８】
また、シール手段を複数本の線材としたもう一つの理由は、除去対象面が必ずしも平滑ではなく、凹凸やカーブが存する状態が通常であるという点による。すなわち、シール手段が例えばパッキン状のものであったとしたら、凹凸やカーブが存する面に当てた場合、必ず隙間ができてしまう。しかるに、シール手段が複数本の線材であれば、夫々の線材の可撓性によりシール手段全体が良く凹凸面やカーブ面になじむので、隙間が生じることがない。また、作業者が除去具全体を除去対象面に押し付けた場合、複数本の線材のシール手段が撓んでクッションの役割を果たし、作業者の作業が極めて楽になるという点も大きな特徴である。
【００１９】
さらに、シール手段の複数本の線材の密植構成として、やや太く短めの複数本の線材からなる第１シール手段の周囲に、やや細く長めの複数本の線材からなる第２シール手段を植設することにより、単一の太さと長さの複数本の線材のみからなるシール手段にはない特徴を持たせることができる。すなわち、やや太く短めの複数本の線材からなる第１シール手段はある程度のシール性とシール手段全体の剛性の保持を主に担当することにより、作業者が除去具の一端のみに力を掛け過ぎたとしても、反発作用を有し、除去具全体の過度の傾きが防止される。また、作業者が過度に除去具全体を除去対象面に押し付けてしまった場合も、第１シール手段の剛性によって除去具全体が一定の位置で停止され、結果として、除去手段がアスベスト層を突き抜けて躯体面まで削ってしまうという誤作動が防止される。一方、やや細く長めの複数本の線材からなる第２シール手段は可撓性と高度なシール性の方を主に担当し、第１シール手段だけでは不足するシール性を高めると同時に、クッション作用によって作業者が手に感じる反作用を軽減してくれるので、作業感覚はきわめて良好なものとなる。この点は、本発明が、作業者が長時間手に把持して作業するものであるところから、極めて重要な点となる。なお、通常は、第１シール手段に比較して、第２シール手段の方が植設密度は高い。
【００２０】
次に、密閉手段の先端部を平面視で９０°以下の角度に構成したが、この点も作業効率の上昇には極めて有効に働く。すなわち、密閉手段の先端部を平面視で９０°以下の角度に構成したことにより、密閉手段全体が平面視で略直角三角形状とすることができ、除去対象面であるアスベスト面の隅部分に極めて適切に当接する。本発明の構成においては、アスベスト面の隅部分にては、除去手段であるグラインダの回転円盤を、できるだけ隅部分を構成する２辺に接近させることが重要となるが、密閉手段全体を平面視で略直角三角形状とすることにより、このことが可能となるのである。なお、密閉手段の先端部の角度が余りに小となりすぎると、グラインダの回転円盤がアスベスト面の隅部分から遠くなるので、密閉手段の先端部の角度の最小値は８０°程度となると考えられる。すなわち、作業現場の隅部分がすべて完全に９０°であれば、密閉手段の先端部を平面視で９０°と限定できるが、現場の状況によっては隅部分が完全に９０°となっていないことも多い。したがって、隅部分が９０°よりやや狭くなっている場合にも対応できる公正として、密閉手段の先端部の角度を９０°〜８０°とすることが考えられるということである。なお、明らかに鋭角状の隅部分の多い現場に対しては、密閉手段の先端部の角度を８０°以下とすることも充分に考えられる。この場合は、他の部分との構成の釣り合いを考えると、最小値は３０°程度となるであろう。
【００２１】
また、本発明の１実施形態においては、作業者が手に把持する把持手段、すなわちハンドル部分の先端部分が透明樹脂製の密閉手段の内部に挿入されており、該先端部分に除去手段の研磨用の回転円盤の近傍を照明できる照明装置が装着されている。これにより、作業者は、研磨用の回転円盤がアスベスト面を切削している状況を常にモニタしながら作業を続けることができる。この点は、きわめて大切なことである。すなわち、先述のように、アスベスト面は厚さや固さや他の層との関連や剥離状況などにより無限の様態を持ち、しかも同一面にても場所によりその様態を異にする。したがって、常に回転円盤の切削状況をモニタしながらハンドルを操作して回転円盤の深さや進行方向を微調整しなければならない。作業現場では、作業場所により、前述のように照明が届きにくいところもあるが、照明装置により常に回転円盤の切削状況を明確に把握できる状態となっていれば、作業者は、無駄なく効率的に作業を進めることができる。
【００２２】
本発明のさらなる特徴は、アスベストを粉体化して、これを、一端が密閉手段に穿設された吸引口に気密的に接続され、他端がコンプレッサに接続されている吸引用可撓管によって吸引除去するという点にある。すなわち、粉体化されたアスベストは該吸引用可撓管によりすべて吸引されて、外気を汚染することがない。このために、本発明においては、通常行われるように薬剤の泡によってアスベストを包み込むという手段をとらなかった。すなわち、薬剤の泡によってアスベストを包み込むという方法は、粘性のある塊が吸引用可撓管の内部を通過することになるので吸引性能が著しく悪化し、場合によっては吸引作用自体に支障をきたすことも考えられる。さらに、前述のとおり、アスベストを内部に含んだ薬剤の泡がシール手段の線材から漏れ出し、結局除去対象面に残留してしまうという結果を招くこととなる。したがって、通常とは逆の発想になるが、アスベストを極力粉体化し、これを、吸引手段と密閉手段が十全に作用する状態のもとに完全に吸引するということを基本方針として考えた。本発明の全ての構成は、除去手段も、密閉手段も、密閉手段のシール手段も、すべてがこの基本方針に則って構成されているものである。
【発明の効果】
【００２３】
本発明の、解決手段１の発明によれば、アスベスト面の除去を行う除去手段と、アスベスト面に接する部分に密植された複数本の線材からなるシール手段を備え除去手段の作用部の全体を掩覆する透明材よりなる密閉手段と、除去手段の密閉手段に掩覆されていない部分に固着され一部が作業者が手に把持できるハンドルとして構成されている把持手段と、一端が密閉手段に穿設された吸引口に気密的に接続され、他端がコンプレッサに接続されている吸引用可撓管からなる吸引手段、から構成されているので、作業者の負担が最も少ない形で効率よくアスベスト面を剥離除去できる。しかも、後に述べる解決手段２にては、アスベストが大きな塊ではなく、粉体として除去されるので、吸引用可撓管やコンプレッサに過大な負担がかかることなく、常に最良の状態でアスベスト粉末の吸引が行える。
【００２４】
また、シール手段が複数本の線材からなるので、コンプレッサによる吸引によって密閉手段内部が減圧された場合に、密植された複数本の線材の間から適度に空気が流入することが保証される。これにより、常に外部からシール手段の内部に向けて気流が生じており、剥離破砕されたアスベストの粉体は、この気流によりシール手段の内部に押し戻されて外部に漏れ出すことがない。さらに、除去対象面（アスベスト面）に凹凸やカーブがあっても、夫々の線材の可撓性によりシール手段全体が良く凹凸やカーブ面になじむので、隙間が生じることはない。また、作業者が除去具全体を除去対象面に押し付けた場合、複数本の線材からなるシール手段が撓んでクッションの役割を果たし、作業が極めて楽になるという効果ももたらされる。
【００２５】
さらに、除去手段の作用部の全体を掩覆する密閉手段が透明材よりなっているので、作業者は、アスベスト面を剥離粉砕している作用部（解決手段２にては研磨用の小型円盤）を常に視認しながら作業が行える。これにより、アスベスト面の厚さの変化や微妙な凹凸や他の素材からなる面が現われた場合等に即座に対応しつつ作業を行うことができるので、アスベスト面の剥離粉砕をほぼ完全な形で行うことが可能となった。作業者は、作用部を視認しつつ、アスベスト面の残留がある部分に対しては、残留アスベストがきれいに除去されるまで何度も剥離粉砕作業を繰り返すことも可能である。この点は、作業者が手で把持し、しかも密閉手段が透明材からなる本発明に特有の効果であって、例えば遠隔操作による除去具等にては決して奏することのできない効果である。
【００２６】
本発明の解決手段２の発明によれば、除去手段が、研磨用の回転円盤を作用部とするグラインダであるので、アスベスト面は粉体化されて剥離除去される。これにより、吸引手段に対する負荷はきわめて小となり、吸引手段の能力を小型化することが可能となった。また、大きな剥離片が吸引手段の内部に詰まったり、薬剤を用いた場合のように粘体化した剥離片や粉末が吸引手段の吸引能力に支障を及ぼすこともなくなった。また、作用部が研磨用の回転円盤であるので、厚いアスベスト面には回転円盤を深く入れ、薄いアスベスト面には回転円盤を浅く入れることにより、どのような厚さのアスベスト面にも対応可能である。さらに、アスベスト面の固さが変化していたり、あるいはアスベスト面が何かに被覆されたり、又はアスベスト面の下に別の面があるという様々な様態にも、回転円盤の砥石の荒さを変えるだけで略対応が可能である。
【００２７】
さらに、除去手段のグラインダとして、家庭用の小型のグラインダを用いることにより、除去具全体を極めて軽量且つコンパクトに設計できる。したがって、作業者が長時間手に把持しても最小の疲労感で作業を進めることができる。また、天井のように作用部を上向きにして把持しなければならない現場においても、軽量且つコンパクトな構成は、作業のしやすさや疲労感の軽減に大きな効果をもたらす。また、どのような建物にも標準で設備されている１００Ｖの交流電源を用いることができるので、作業にあたっても特別の電源設備を必要としない。さらに、家庭用の小型のグラインダに対しては、研磨用の回転円盤として、様々な種類の砥石が用意され、しかも簡単に交換可能であるので、アスベスト面の様々な様態にも即時対応可能である。
【００２８】
本発明の解決手段３の発明によれば、シール手段である線材が、剛性と可撓性のある線材が複数本密植された第１シール手段と、該第１シール手段に隣接して密植された第１シール手段の線材よりやや細く第１シール手段の線材よりやや長い複数本の線材からなる第２シール手段からなっているので、単一の太さと長さの複数本の線材のみからなるシール手段にはない効果を奏することができる。すなわち、やや太く短めの複数本の線材からなる第１シール手段はある程度のシール性とシール手段全体の剛性の保持を主に担当することにより、作業者がアスベスト除去具の一端のみに力を掛け過ぎたとしても、反発作用を有し、アスベスト除去具全体の過度の傾きが防止される。また、作業者が過度にアスベスト除去具全体をアスベスト面に押し付けてしまった場合も、第１シール手段の剛性によってアスベスト除去具全体が一定の位置で停止され、結果として、除去手段がアスベスト層を突き抜けて躯体面まで削ってしまうという誤作動が防止される。一方、やや細く長めの複数本の線材からなる第２シール手段は可撓性と高度なシール性の方を主に担当し、第１シール手段だけでは不足するシール性を高めると同時に、クッション作用によって作業者が手に感じる反作用を軽減してくれるので、作業感覚はきわめて良好なものとなる。この点は、本発明が、作業者が長時間手に把持して作業するものであるところから、極めて重要である。
【００２９】
次に、本発明の解決手段４の発明によれば、除去手段の作用部の研磨用の回転円盤の回転軸の軸方向を上下方向とした場合に、透明材よりなる密閉手段の先端部分が平面視で９０°以下の角度に構成されているので、密閉手段全体が平面視で略直角三角形状となり、除去対象面であるアスベスト面の隅部分に極めて適切に当接する。本発明の構成においては、除去対象面の隅部分にては、除去手段であるグラインダの回転円盤を、できるだけ隅部分を構成する２辺に接近させることが重要となるが、密閉手段全体を平面視で略直角三角形状とすることにより、このことが可能となる。なお、密閉手段の先端部分を平面視で９０°〜８０°の角度に構成することにより、アスベスト面の隅部分が９０°をやや下回っている場合にも対応可能そなる。また、アスベスト面の隅部分が鋭角状の現場には、密閉手段の先端部分の角度の最小値を３０°程度とすれば対応可能となる。
【００３０】
次に、本発明の解決手段５の発明によれば、把持手段あるいは密閉手段に、除去手段の作用部の研磨用の回転円盤の近傍を照明できる照明装置が装着されているので、現場の照明状況如何に関係なく、作業者は、研磨用の回転円盤がアスベスト面を切削している状況を常に明視しながら作業を続けることができる。前述のように作業現場では、作業場所により、照明が届きにくいところもあるが、照明装置により常に回転円盤の切削状況を明確に把握できる状態となっていれば、作業者は、無駄なく効率的に作業を進めることができる。
【発明を実施するための最良の形態】
【００３１】
本発明を実施するための最良の形態を、以下に、図面を参照しながら詳細に説明する。
【実施例１】
【００３２】
＜実施例１の構成＞
実施例１のアスベスト除去具１は、図１〜図５に見るように、アスベスト面ＡＳの剥離と粉砕を同時に行う除去手段２と、アスベスト面ＡＳに接する部分に密植された複数本の線材からなるシール手段３２を備え除去手段２の作用部２１の全体を掩覆する透明材よりなる密閉手段３と、除去手段２の密閉手段３に掩覆されていない部分に固着され一部が作業者（図示せず）が手に把持できるハンドル４１として構成されている把持手段４と、一端が密閉手段３に穿設された吸引口Ｈ１、Ｈ２に気密的に接続され、他端がコンプレッサ（図示せず）に接続されている吸引用可撓管５１、５２、５３からなる吸引手段５、から構成されている
【００３３】
除去手段２は、作用部２１と柄部２２からなる小型のグラインダＧで、柄部２２にモータ（図示せず）が内蔵され、該モータの駆動力により作用部２１に垂設された軸２１ｂを回転させ、軸２１ｂの下端に水平状態で螺着された研磨用の回転円盤２１ａを回転させる。グラインダＧは、通常、小売店にて市販されている家庭用の小型のグラインダであって、その構成は公知技術であるので、詳細な説明は省略する。なお、回転円盤２１ａは、軸２１ｂに簡単に着脱できる構成となっているので、作業者は、アスベスト面ＡＳの状態に応じて、適切な他の回転円盤と容易に交換できる。なお、ＳＷはグラインダＧの電源スイッチであり、密閉手段３はこの電源スイッチＳＷを掩覆しないように構成されている。
【００３４】
密閉手段３は、除去手段２の作用部２１全体を、少なくともアスベストの粉末の漏洩がない程度に気密的に密閉するもので、透明材からなる蔽体３１と、蔽体３１のアスベスト面ＡＳに接する部分に密植された複数本の線材からなるシール手段３２から構成されている。このうち、蔽体３１は、図２、図７から明らかなように平面視で下に凸の三角形状で、先端部３１ａは９０°として構成されている。実施例１にては先端部３１ａの角度を９０°としたが、実際の現場では、アスベスト面ＡＳの隅部分の角度が９０°よりやや狭くなるケースも有り得ると考えられるので、８０°〜９０°位の間の角度とするのが適切であろう。先端部３１ａの角度を余り小にしすぎると、アスベスト面ＡＳの隅部分から回転円盤２１ａが遠のく結果となるので、８０°位が最小値であると考えられる。蔽体３１の左側面３１ｂと右側面３１ｃは緩やかな曲面をなし、背面３１ｄは平面状である。また、上面３１ｅはドーム状であり、後述の把持手段４の先端部４２の下部が上面３１ｅ内に嵌入固着されている。先端部３１ａ、左側面３１ｂ、右側面３１ｃ、背面３１ｄ、上面３１ｅは、先端部３１ａの直角部分を除き、全体が曲面によって連続されて一体として構成されている。また、蔽体３１の下面は開放状態であるが、先端部３１ａ、左側面３１ｂ、右側面３１ｃ、背面３１ｄの下端部に、連続したフランジＦが内側に向けて一体として形成されていて、フランジＦの下面には、複数本の線材Ｗ１、Ｗ２（図１４ａ参照）からなるシール手段３２が植設されている。蔽体３１の材質としては、透明の合成樹脂が用いられるが、フランジＦについては不透明材を用いることも可能である。なお、フランジＦは、先端部３１ａ、左側面３１ｂ、右側面３１ｃ、背面３１ｄの下端部に一体として固着されている。また、背面３１ｄの下端部に固着されたフランジＦは、図３、図１０に見るように、中央部が後方に膨らんだ形となっているが、これは、除去手段２の作用部２１の回転円盤２１ａがこの部分に衝突するのを回避するためである。
【００３５】
蔽体３１の背面３１ｄには、図９に示すように、円形の吸引口Ｈ１、Ｈ２、略正方形状の取付孔ＨＧが穿設されている。吸引口Ｈ１、Ｈ２は同大で、吸引口Ｈ１は背面３１ｄの左方に、吸引口Ｈ２は背面３１ｄの右方に夫々穿設されているが、吸引口Ｈ１には後方に突出するフランジＨＦ１が背面３１ｄと一体に設けられ、吸引口Ｈ２には後方に突出するフランジＨＦ２が背面３１ｄと一体に設けられている。また、取付孔ＨＧは除去手段２のグラインダＧの柄部２２を挿嵌するための構成であるのでグラインダＧの柄部２２の長手方向に直角の断面形状と同様の形状となるものであるが、実施例１のアスベスト除去具１においては、グラインダＧの柄部２２の長手方向に直角の断面形状は各辺が外側にやや膨らんだ略正方形状であるので、取付孔ＨＧも同様の形状として構成されている。
【００３６】
取付孔ＨＧの周縁部ＨＧｒ（図１０参照）には、グラインダＧの柄部２２を安定的に挿嵌するためのパッキンＰが嵌着されている。パッキンＰの構成は、図１１に見るとおりのもので、外周部Ｐａに凹部Ｐｃが形成されており、図１０に見るように、凹部Ｐｃに背面３１ｄの取付孔ＨＧの周縁部ＨＧｒが嵌着されることにより、パッキンＰは取付孔ＨＧの周縁部ＨＧｒに固着されている。パッキンＰの内周部Ｐｂは、グラインダＧの柄部２２の長手方向に直角の断面形状と同一形状で、該断面形状よりやや小に構成されているので、パッキンＰに柄部２２を挿嵌すると、パッキンＰの弾性力と反発力により柄部２２はパッキンＰを介して背面３１ｄに固着される。すなわち、グラインダＧ全体が密閉手段３の蔽体３１に固着される。
【００３７】
蔽体３１のフランジＦの下面には、複数本の線材からなるシール手段３２がブラシ状に植設されていることは前述したが、その構成をさらに詳しく説明すれば、以下のとおりである。図１４ａはフランジＦの一部を拡大して説明する説明図であり、図１４ｂはフランジＦの底面の一部を拡大して説明する説明図である。フランジＦの中央部分には複数本の線材Ｗ１が４列に密植されて第１シール手段３２ａを構成し、フランジＦの両端部には複数本の線材Ｗ２が夫々４列に密植されて第２シール手段３２ｂを構成している。すなわち第１シール手段３２ａと第２シール手段３２ｂは隣接して構成されている。また、第１シール手段３２ａを構成する線材Ｗ１と第２シール手段３２ｂを構成する線材Ｗ２を比較すると、線材Ｗ２は線材Ｗ１に比較すると直径はやや細いが長さはやや長い。線材Ｗ２の直径は、線材Ｗ１の直径の５０〜８０％、線材Ｗ２の長さは、線材Ｗ１の長さの１０５〜１２５％程度が適切であると考えられる。また、第１シール手段３２ａと第２シール手段３２ｂの植設密度を比較すると、第２シール手段３２ｂの植設密度の方が高い。なお、図１５ａ〜図１５ｃには、第１シール手段３２ａと第２シール手段３２ｂの異なった配列方法を示すものである。
【００３８】
次に、把持手段４の構成を説明する。把持手段４は、図１〜図９に示すように、中央部から後部にかけてのハンドル４１、ハンドル４１の前方に連接される先端部４２、そして、ハンドル４１の後端下部に連接されるホルダ部４３よりなるが、ハンドル４１、先端部４２、ホルダ部４３はすべて一体として構成され、特にハンドル４１と先端部４２は視覚的にも連続したひとつながりの部材として形成されている。
【００３９】
ハンドル４１は硬質樹脂製の把手であり、内部は空洞で、外観は図１に見るように人の手になじむような形状に形成されている。ハンドル４１とひとつながりでやはり内部が空洞の先端部４２はその下部が密閉手段３の蔽体３１の上面３１ｅ内部に嵌入固着されており、最先端部に、除去手段２の作用部２１の研磨用の回転円盤２１ａの近傍を照明できるような角度で照明装置４２ａが装着されている。４２ｂは照明装置４２ａのスイッチで先端部４２の上面に装着されており、４２ｃは先端部４２の内部に取付けられたスイッチボックスである。照明装置４２ａとスイッチボックス４２ｃを連結するコードＣ２はスイッチボックス４２ｃに入り、さらにスイッチボックス４２ｃの後端からは電源コードＣ３となって先端部４２、ハンドル４１の内部の空洞を通ってハンドル４１の後端部から外部に導出されている。なお先端部４２と蔽体３１を固着する方法は、実施例１のアスベスト除去具１にては接着とされているが、他に螺着や溶着等、先端部４２と蔽体３１が強固に固着できる方法であればその方法は問わない。
【００４０】
ホルダ部４３は、図１〜図９及び図１３ａ、図１３ｂに示すように、上部となるパイプホルダ部４３ａと下部となるグラインダホルダ部４３ｂが一体として構成されている。パイプホルダ部４３ａはハンドル４１の後端部の直下に該後端部と一体として構成された略立方体状の部材で、材質は硬質樹脂製であり、背面に円孔Ｈ５が、左側面に円孔Ｈ３が、右側面に円孔Ｈ４が、夫々穿設されている。円孔Ｈ３、Ｈ４、Ｈ５はパイプホルダ部４３ａの内部で連通していて、図１２のパイプホルダ部４３ａの横断面図に見るように、全体として逆Ｔ字状の連通孔Ｈ６を構成している。また、円孔Ｈ３の周囲にはフランジＨＦ３が後方に突設され、円孔Ｈ４の周囲にはフランジＨＦ４が左方に突設され、円孔Ｈ５の周囲にはフランジＨＦ５が右方に突設されている。
【００４１】
グラインダホルダ部４３ｂは、図１〜図９に見るように、グラインダＧの柄部２２を固定するための部材であるので、図５、図９、図１３ａ、図１３ｂに見るように、パイプホルダ部４３ａの左側面下部から一体として延伸される左帯ＬＢとパイプホルダ部４３ａの右側面下部から一体として延伸される右帯ＲＢからなり、左帯ＬＢの下端部と右帯ＲＢの下端部が下部にて当接して締結部Ｕとなり、左帯ＬＢと右帯ＲＢから構成される空間Ｓ（図１３ａ、図１３ｂ参照）はグラインダＧの柄部２２の長手方向に垂直な断面形状に等しい形状をなしている。また、左帯ＬＢの内側面ＬＢ１と右帯ＲＢの内側面ＲＢ１及びパイプホルダ部４３ａの下面４３ｃにはゴム製の内張りＧＳが一体として貼設されているが、この内張りＧＳは、空間Ｓ内に挿嵌されるグラインダＧの柄部２２の表面に圧着されるので、グラインダＧの柄部２２はグラインダホルダ部４３ｂに安定的に固着されることができる。なお、柄部２２の固定は、最終的に締結部Ｕの４組のボルトナットＢＮを強く締結して左帯ＬＢの下端部と右帯ＲＢの下端部を一体として固着することによりなされるものである。
【００４２】
次に、密閉手段３の内部のアスベスト粉末を吸引する吸引手段５について詳細に説明する。吸引手段５は、図１〜図５に示すように膜状の合成樹脂からなる３本の吸引用可撓管５１、５２、５３から構成されている。吸引用可撓管５１は、図２、図３に見るように、一端が密閉手段３の蔽体３１の背面に穿設された吸引口Ｈ１に気密的に接続され、他端がホルダ部４３のパイプホルダ部４３ａの左側面に穿設された円孔Ｈ３に気密的に接続されている。すなわち、吸引用可撓管５１の内周面は、吸引口Ｈ１のフランジＨＦ１の外周面よりやや小のサイズとされているので、吸引用可撓管５１の一端を拡大しながらフランジＨＦ１に嵌め込むことにより気密的な接続がなされるが、さらなる気密性と安定的な固定を保証するために、接続部分が締結リングＲ１により締め付けられる。締結リングＲ１は一端がボルトナットＢＮにより締結される環状部材である。また、吸引用可撓管５１の他端は、同様にしてパイプホルダ部４３ａの円孔Ｈ３のフランジＨＦ３に気密的に接続され、さらに接続部分が締結リングＲ１と同様の構成の締結リングＲ３により締め付けられる。
【００４３】
吸引用可撓管５２は、図２、図３に見るように、一端が密閉手段３の蔽体３１の背面に穿設された吸引口Ｈ２に気密的に接続され、他端がホルダ部４３のパイプホルダ部４３ａの右側面に穿設された円孔Ｈ４に気密的に接続されている。すなわち、吸引用可撓管５２の内周面は、吸引口Ｈ２のフランジＨＦ２の外周面よりやや小のサイズとされているので、吸引用可撓管５２の一端を拡大しながらフランジＨＦ２に嵌め込むことにより気密的な接続がなされるが、さらなる気密性と安定的な固定を保証するために、接続部分が締結リングＲ１と同様の構成の締結リングＲ２により締め付けられる。また、吸引用可撓管５２の他端は、同様にしてパイプホルダ部４３ａの円孔Ｈ４のフランジＨＦ４に気密的に接続され、さらに接続部分が締結リングＲ１と同様の構成の締結リングＲ４により締め付けられる。なお、実施例１のアスベスト除去具１においては、吸引用可撓管５１、５２は同一サイズで、略左右対称に配設される。さらに、吸引用可撓管５３も同一サイズである。また、吸引用可撓管５１、５２、５３の構成自体については、各種現場にて吸引用のホースとして用いられている可撓管（公知技術）と同様の構成であるので詳述は省略する。
【００４４】
吸引用可撓管５３は、図２、図３に見るように、一端がホルダ部４３のパイプホルダ部４３ａの背面に穿設された円孔Ｈ５に気密的に接続され、他端は図示しないコンプレッサに接続されている。すなわち、吸引用可撓管５３の内周面は、吸引口Ｈ５のフランジＨＦ５の外周面よりやや小のサイズとされているので、吸引用可撓管５３の一端を拡大しながらフランジＨＦ５に嵌め込むことにより気密的な接続がなされるが、さらなる気密性と安定的な固定を保証するために、接続部分が締結リングＲ５により締め付けられる。締結リングＲ５は締結リングＲ１と略同様の構成であるが、上部に電源コードＣ３を結束するための膨出部Ｒ５ａを備えている点が異なる。なお、以上の構成から明らかなように、吸引用可撓管５１、５２、５３は、パイプホルダ部４３ａの内部に穿設された連通孔Ｈ６を介して相互に連通させられた状態にある。
【００４５】
図１〜図５にて、Ｃ１はグラインダＧの後端部から図示しない電源に延伸されている電源コードである。また、Ｃ３は把持手段４の先端部４２内部のスイッチボックス４２ｃから図示しない電源に延伸されている電源コードである。電源コードＣ１，Ｃ３は、吸引用可撓管５３とともに締結リングＲ６によって締結されている。締結リングＲ６は締結リングＲ１と略同様の構成であるが、上部に電源コードＣ３を結束するための膨出部Ｒ６ａ、下部に電源コードＣ１を結束するための膨出部Ｒ６ｂを備えている点が異なる。電源コードＣ１、Ｃ３と吸引用可撓管５３は、締結リングＲ６と同様の構成の複数の締結リング（図示せず）により結束されているものである。
【００４６】
＜実施例１の作用＞
実施例１のアスベスト除去具１の作用を以下に図面を参照しながら説明する。図１〜図５に示すアスベスト除去具１は、作業者（図示せず）が把持手段４のハンドル４１を片手に把持して使用される。この際、天井面のアスベストを除去する場合にはアスベスト除去具１は、図１の状態を１８０°転倒させ、作用部２１の回転円盤２１ａが上を向く形で使用される。また、壁面のアスベストを除去する場合には、図１の状態を９０°転倒させ、回転円盤２１ａが壁面に平行になる状態にて使用される。また、床面のアスベストを除去する場合には、図１の状態で使用される。いずれの使用状態にても、吸引用可撓管５３の図示しない端部は図示しないコンプレッサに接続され、電源コードＣ１、Ｃ３は図示しない電源に接続された状態で使用される。また、コンプレッサの吸引作用は常時オンの状態とする。
【００４７】
作用部の回転円盤２１ａが適切にアスベスト面ＡＳに当接される状態になれば、作業者は、グラインダＧの電源スイッチＳＷをオン状態とする。すると、作用部２１の研磨用の回転円盤２１ａが回転を開始する。作業者がハンドル４１に力を入れてアスベスト除去具１全体をアスベスト面ＡＳに押圧することにより、回転円盤２１ａはアスベスト面ＡＳを剥離粉砕するので、アスベスト面ＡＳは細粉末化して密閉手段３の蔽体３１の内部に飛散するが、蔽体３１の内部は、吸引用可撓管５１、５２、５３の吸引作用によって減圧状態にあるので、アスベスト粉末は蔽体３１の背面３１ｄに穿設された吸引口Ｈ１、Ｈ２からパイプホルダ部４３ａに吸引され、さらに連通孔Ｈ６を経由して吸引用可撓管５３により図示しないコンプレッサに吸引される。この際、吸引用可撓管５１、５２は気密的に蔽体３１とパイプホルダ部４３ａの連通孔Ｈ６に接続されており、また吸引用可撓管５３も気密的にパイプホルダ部４３ａの連通孔Ｈ６に接続されているので、アスベスト粉末が大気中に漏洩することがない。
【００４８】
また、蔽体３１の下面においては、シール手段３２の作用により、やはりアスベスト粉末の大気中への漏洩が防止される。シール手段３２はブラシ状に密植された複数本の線材Ｗ１、Ｗ２よりなるものであるが、蔽体３１の内部には、吸引用可撓管５１、５２を通じて常に減圧作用が働いているので、外部の空気はシール手段３２の複数本の線材Ｗ１、Ｗ２の隙間から流入せざるを得ない。したがって、シール手段３２においては、常に外部から内部への気流が発生しており、この気流の作用により、蔽体３１内部のアスベスト粉末はシール手段３２の手前にて蔽体３１の内部方向に押し戻されるので、シール手段３２から外部に漏洩することが防止される。なお、作用部２１の回転円盤２１ａがアスベストを略完全に細粉化するので、シール手段３２における上記作用は略完全に行われる。また、実施例１のアスベスト除去具１においては、薬液等、アスベストを粘性化する手段は用いないので、アスベスト粉末は粉末状態のままで吸引用可撓管５１、５２に吸引されるから、薬液を用いた場合のように、粘性化したアスベストがシール手段３２から漏洩するということも起こり得ない。
【００４９】
作業者（図示せず）は、アスベスト面ＡＳの厚さや固さ、あるいは他の物質層の混入具合を、目視とハンドル４１に感じる反作用によってモニタしながら、アスベスト面ＡＳの状態に合わせて回転円盤２１ａのアスベスト面ＡＳへの当接（押圧）具合を変化させ、最も適切にアスベスト面ＡＳを粉末化できる状態を選んで作業を進めていく。この際、蔽体３１が透明材よりなるので、作業者は、回転円盤２１ａがアスベスト面ＡＳを剥離粉砕する状態を目視確認しながら作業ができる。また、これにより、アスベスト面ＡＳは略完全に剥離除去できる。すなわち、目視によって残留アスベストが確認できれば、その部分に繰り返し回転円盤２１ａを作用させることによって、むらなくアスベスト面ＡＳを剥離除去できるものである。さらに、常に作業室内が充分に明るく、回転円盤２１ａ近傍が充分に目視できる場合は良いが、そうでない場合も多い。作業者は、回転円盤２１ａ近傍が少しでも暗いと感ずれば、把持手段４の先端部４２の上面のスイッチ４２ｂをオンにすれば、照明装置４２ａが点灯され、回転円盤２１ａ近傍が明るく照明されるので、的確な除去作業を継続することができる。除去作業を中止するときは、グラインダＧの電源スイッチＳＷをオフにすれば、回転円盤２１ａが停止される。また、アスベスト面ＡＳの状態如何により、回転円盤２１ａを他の回転円盤（図示せず）と交換することも可能である。この交換作業は、家庭用の小型のグラインダの回転円盤の交換作業と全く同要領で行えるので、説明は省略する。
【００５０】
さらに、作業者が、アスベスト除去具１をアスベスト面ＡＳに対して様々な当接・押圧のさせ方をする際に、シール手段３２が、剛性と可撓性のある線材Ｗ１が複数本密植された第１シール手段３２ａと、第１シール手段３２ａに隣接して密植された第１シール手段３２ａの線材Ｗ１よりやや細くやや長い複数本の線材Ｗ２からなる第２シール手段３２ｂからなっているので（図１４ａ〜図１５ｃ参照）、単一の太さと長さの複数本の線材のみからなるシール手段（図示せず）にはない効果を奏することができる。すなわち、やや太く短めの複数本の線材Ｗ２からなる第１シール手段３２ａはある程度のシール性とシール手段３２全体の剛性の保持を主に担当することにより、作業者（図示せず）がアスベスト除去具１の一端のみに力を掛け過ぎたとしても、反発作用を有し、アスベスト除去具１全体の過度の傾きが防止される。また、作業者が過度にアスベスト除去具１全体をアスベスト面ＡＳに押し付けてしまった場合も、第１シール手段３２ａの剛性によってアスベスト除去具１全体が一定の位置で停止され、結果として、作用部２１の回転円盤２１ａがアスベスト面ＡＳを突き抜けて躯体面（図示せず）まで削ってしまうという誤作動が防止される。一方、やや細く長めの複数本の線材Ｗ２からなる第２シール手段３２ｂは可撓性と高度なシール性の方を主に担当し、第１シール手段３２ａだけでは不足するシール性を高めると同時に、クッション作用によって作業者が手に感じる反作用を軽減してくれるので、作業感覚はきわめて良好なものとなる。この点は、アスベスト除去具１が、作業者が長時間手に把持して作業するものであるところから、極めて重要である。
【００５１】
以上のような方法にて作業を行うことにより、建築物の天井面、壁面、床面に用いられているアスベスト面ＡＳの殆どを略完全な状態にて剥離除去でき、しかもアスベスト粉末は大気中に飛散することなく適切に吸引処理される。アスベスト除去具１にて剥離除去後も、建築物の隅部分に僅かにアスベスト面が残留するが、密閉手段３の蔽体３１の先端部分が直角に構成されているので、残留アスベストはごく少量となる。この僅かの残留アスベストは、作業員の手作業により剥離除去されるが、その労力は最小で済むものである。
【産業上の利用可能性】
【００５２】
本発明は、叙上のように、現場の実情に即応した、使いやすく効率的なアスベスト除去具を提供するものであって、アスベストの剥離除去作業における作業者の蒙る危険性や負担感の軽減に、著しい効果を齎すものである。また、本発明は、作用部の回転円盤を適切なものに交換するだけで、アスベストのみならず、他の様々な物質層の剥離除去にも対応可能である。例えば、モルタルやコンクリートの被覆面に対しては、夫々の面を剥離可能な材質の回転円盤を用いればよいし、さらに、各種塗料面の剥離等にも適切な材質の回転円盤を用いることにより応用可能である。いずれの場合にも、除去手段の作用部にて剥離粉砕された物質層は、吸引手段により略完全に吸引除去されるので、剥離粉末が大気中に飛散されることが防止され、作業者の安全の確保と環境保護に、大いに資するものである。
【図面の簡単な説明】
【００５３】
【図１】本発明の実施例１のアスベスト除去具の一部を省略し、一部を切欠した右側面図である。
【図２】本発明の実施例１のアスベスト除去具の一部を省略した平面図である。
【図３】本発明の実施例１のアスベスト除去具の一部を省略した底面図である。
【図４】本発明の実施例１のアスベスト除去具の正面図である。
【図５】本発明の実施例１のアスベスト除去具の一部を省略した背面図である。
【図６】本発明の実施例１のアスベスト除去具の密閉手段と把持手段の右側面図である。
【図７】本発明の実施例１のアスベスト除去具の密閉手段と把持手段の平面図である。
【図８】本発明の実施例１のアスベスト除去具の密閉手段と把持手段の正面図である。
【図９】本発明の実施例１のアスベスト除去具の密閉手段と把持手段の背面図である。
【図１０】図６のＡ−Ａ線断面図である。
【図１１】本発明の実施例１のアスベスト除去具の除去手段と密閉手段を気密的に固定するためのパッキンの一部を切欠した外観斜視図である。
【図１２】図６のＢ−Ｂ線断面図である。
【図１３】（ａ）本発明の実施例１のアスベスト除去具の把持手段のホルダ部の構成を説明するための説明図である。（ｂ）本発明の実施例１のアスベスト除去具の把持手段のホルダ部の構成を説明するための説明図である。
【図１４】（ａ）本発明の実施例１のアスベスト除去具の密閉手段のシール手段の構成を説明するための説明図である。（ｂ）本発明の実施例１のアスベスト除去具の密閉手段のシール手段の構成を説明するための説明図である。
【図１５】（ａ）本発明の実施例１のアスベスト除去具の密閉手段のシール手段の他の構成を説明するための説明図である。（ｂ）本発明の実施例１のアスベスト除去具の密閉手段のシール手段のさらに他の構成を説明するための説明図である。（ｃ）本発明の実施例１のアスベスト除去具の密閉手段のシール手段のさらに他の構成を説明するための説明図である。
【符号の説明】
【００５４】
１      アスベスト除去具
２      除去手段
２１    作用部
２１ａ  回転円盤
２１ｂ  軸
２２    柄部
３      密閉手段
３１    蔽体
３１ａ  先端部
３１ｂ  左側面
３１ｃ  右側面
３１ｄ  背面
３１ｅ  上面
３２    シール手段
３２ａ  第１シール手段
３２ｂ  第２シール手段
４      把持手段
４１    ハンドル
４２    先端部
４２ａ  照明装置
４２ｂ  スイッチ
４２ｃ  スイッチボックス
４３    ホルダ部
４３ａ  パイプホルダ部
４３ｂ  グラインダホルダ部
４３ｃ  下面
５      吸引手段
５１    吸引用可撓管
５２    吸引用可撓管
５３    吸引用可撓管
ＡＳ    アスベスト面
ＢＮ    ボルトナット
Ｃ１    電源コード
Ｃ２    コード
Ｃ３    電源コード
Ｆ      フランジ
Ｇ      グラインダ
ＧＳ    内張り
ＨＦ１  フランジ
ＨＦ２  フランジ
ＨＦ３  フランジ
ＨＦ４  フランジ
ＨＦ５  フランジ
ＨＧ    取付孔
ＨＧｒ  周縁部
Ｈ１    吸引口
Ｈ２    吸引口
Ｈ３    円孔
Ｈ４    円孔
Ｈ５    円孔
Ｈ６    連通孔
ＬＢ    左帯
ＬＢ１  内側面
Ｐ      パッキン
Ｐａ    外周部
Ｐｂ    内周部
Ｐｃ    凹部
ＲＢ    右帯
ＲＢ１  内側面
Ｒ１    締結リング
Ｒ２    締結リング
Ｒ３    締結リング
Ｒ４    締結リング
Ｒ５    締結リング
Ｒ５ａ  膨出部
Ｒ６    締結リング
Ｒ６ａ  膨出部
Ｒ６ｂ  膨出部
Ｓ      空間
ＳＷ    スイッチ
Ｕ      締結部
Ｗ１    線材
Ｗ２    線材
【図１】
2007321525.tif 000003
【図２】
2007321525.tif 000004
【図３】
2007321525.tif 000005
【図４】
2007321525.tif 000006
【図５】
2007321525.tif 000007
【図６】
2007321525.tif 000008
【図７】
2007321525.tif 000009
【図８】
2007321525.tif 000010
【図９】
2007321525.tif 000011
【図１０】
2007321525.tif 000012
【図１１】
2007321525.tif 000013
【図１２】
2007321525.tif 000014
【図１３】
2007321525.tif 000015
【図１４】
2007321525.tif 000016
【図１５】
2007321525.tif 000017